(57)【要約】 【課題】  非接触型のＩＣカードを利用したキャッシュカードやクレジットカード等のＩＣカードに記録されているデータの外部からの読み出しや改竄等を防止するとともに、前記キャッシュカードやクレジットカード等を収納したままでも従来使用していた財布等に収納し持ち運ぶことができるＩＣカード用カバーを提供することにある。【解決手段】  表面に電磁波遮断用の金属をラミネートしたプラスチックシート部材をＩＣカード５０とほぼ同じ大きさの二つ折り形状として、二つ折り形状からなるシート部材の一方側（裏側）１２を他方側（表側）１４よりも長くして、その部分を摘み部１６として形成し、且つ該摘み部１６を他方側に傾斜させた。内部にＩＣカード５０を収納した（挟んだ）状態で財布のＩＣカード収納部に収納可能とした。【選択図】      図１
0003111033.tif 000002
【実用新案登録請求の範囲】
【請求項１】
表面に電磁波遮断用の金属をラミネートしたプラスチックシート部材をＩＣカードとほぼ同じ大きさの二つ折り形状として、内部にＩＣカードを収納した状態で財布のＩＣカード収納部に収納可能としたことを特徴とするＩＣカード用カバー。
【請求項２】
前記二つ折り形状からなるシート部材の一方側を他方側よりも長くして、その部分を摘み部として形成し、且つ該摘み部を他方側に傾斜させたことを特徴とする請求項１記載のＩＣカード用カバー。
【請求項３】
前記二つ折り形状は、ＩＣカードの縦収納あるいは横収納の何れかの形状に形成されていることを特徴とする請求項１又は２記載のＩＣカード用カバー。
【考案の詳細な説明】
【技術分野】
【０００１】
本考案は、非接触型ＩＣカードを保護し収納するＩＣカード用カバーに関するものであり、より具体的には、非接触型ＩＣカードを構成するＩＣチップに記録されているデータを外部から無断で読み出しや改竄等が行われることの防止を目的としたＩＣカード用カバーに関するものである。
【背景技術】
【０００２】
非接触でデータを読み取り可能な非接触型のＩＣカードは、その利便性から入退室などの管理や、キャッシュカードやクレジットカード、乗車券などの様々な用途に使用されている。また、近年では、この非接触型のＩＣカードの機能を携帯電話等の電子機器に搭載し、ＩＣカード同様に、非接触でデータを読み取り、書き込み可能とし、電子マネーや乗車券等として使用される傾向にある。
【０００３】
この非接触型のＩＣカードには、ＩＣチップやそのＩＣチップに記録されているデータを送受信する送受信用アンテナが搭載されており、データの読み書き用装置側から照射される誘導電磁波をＩＣカードの送受信用のアンテナとしてのアンテナコイルによって受信し、アンテナコイルで生じた誘導起電力をＩＣチップの駆動電力とし、非接触型ＩＣカードに搭載されているＩＣチップに記録されたデータを送信することにより外部の読み書き用装置からＩＣカード内のデータがわかるようになっている。
【０００４】
ところで、非接触型ＩＣカードを初め通常のキャッシュカード、クレジットカード等は、一般に財布のカード収納部に収納して持ち歩くことが多く、他のＩＣカードも同様であるが、この非接触型ＩＣカードに搭載されるＩＣチップには、個人情報等のデータが蓄積されていることがほとんどである。そして、この非接触型ＩＣカードは、データの読み書き用装置を接触させなくても、ＩＣチップのデータの読み取りや書き込みができ、ＩＣカードとデータの読み書き用装置との距離が数ｍｍ〜１ｍ程度であってもＩＣチップに記録されているデータの読み取りや書き込みが可能であるため、スキミング等によるセキュリティー上の様々な問題が生じている。
【０００５】
そこで、この問題に対応するために種々の提案がなされている。例えば、特許文献１には、非接触型のＩＣカードを収納するための収納ケースが開示されている。この収納ケースは袋状のプラスチックフィルムからなり、ケースの少なくとも一部、特にアンテナ部分に相当するところが電磁波を遮断する部材で構成されているものである。
【０００６】
また、例えば特許文献２には、非接触型ＩＣカードや電子機器を収納するだけで、それらに記録されている個人情報等のデータの電磁波による漏洩や改竄を防止することが可能な収納ケースが開示されている。
【０００７】
具体的には、非接触でデータを読み取り可能な非接触型のＩＣカードや電子機器を収納するための収納ケースであって、非接触型のＩＣカードや電子機器を収納したときに当該非接触型のＩＣカードや電子機器を覆って電磁波を遮蔽する電磁波シールド手段を備えるものである。
【０００８】
これによると、収納ケースに非接触型のＩＣカードや電子機器を収納すると、この収納された非接触型のＩＣカードや電子機器は電磁波シールド手段で覆われた状態となるため、これらに記録されているデータの電磁波による読み取りや書き込みが不可能となり、その結果、前記非接触型ＩＣカードや電子機器に記録されている個人情報等のデータの電磁波による漏洩や改竄を防止することができるとされている。
【特許文献１】特開２０００−０３００１４
【特許文献２】特開２００４−１８８２１５
【考案の開示】
【考案が解決しようとする課題】
【０００９】
しかしながら、上述した収納ケースは、その袋状の構造上ある程度の厚さ及び巾になってしまい、財布等のカード収納部がＩＣカードの大きさにぴったり合わせて作られている場合にはＩＣカードをＩＣカード収納ケースに収納した状態で財布のカード収納部に収納するのが困難な場合がある。
【００１０】
本考案は、上述のような実情に鑑みなされたもので、その目的とするところは、非接触型のＩＣカードを利用したキャッシュカードやクレジットカード等の現金カードに記録されているデータの外部からの読み出しや改竄等を防止するとともに、前記キャッシュカードやクレジットカード等を収納したままでも従来使用していた財布等に収納し持ち運ぶことができるＩＣカード用カバーを提供することにある。
【課題を解決するための手段】
【００１１】
本考案は、上記目的を達成するために、次の技術的手段を講じている。
即ち、請求項１記載のＩＣカード用カバーは、表面に電磁波遮断用の金属をラミネートしたプラスチックシート部材をＩＣカードとほぼ同じ大きさの二つ折り形状として、内部にＩＣカードを収納した状態で財布のＩＣカード収納部に収納可能としたことを特徴としている。
【００１２】
また、請求項２記載のＩＣカード用カバーは、請求項１記載のＩＣカード用カバーであって、前記二つ折り形状からなるプラスチックシート部材の一方側を他方側よりも長くして、その部分を摘み部として形成し、且つ該摘み部を他方側に傾斜させたことを特徴としている。
【００１３】
またさらに、請求項３記載のＩＣカード用カバーは、請求項１または請求項２記載のＩＣカード用カバーであって、前記二つ折り形状は、ＩＣカードの縦収納あるいは横収納の何れかの形状に形成されていることを特徴としている。
【考案の効果】
【００１４】
本考案に係るＩＣカード用カバーは、ＩＣカードとほぼ同じ大きさの二つ折り形状からなっているため、従来から使用していた財布にそのまま用いて収納することができる。また、前記ＩＣカード用カバーのプラスチックシート部材表面には電磁波遮断用の金属をラミネートしていることから、非接触型ＩＣカードのデータの外部からの読み出しや改竄等の被害を防止することができる。
【００１５】
また、本考案によれば、前記二つ折り形状からなるカバーのプラスチックシート部材の一方側を他方側よりも長くし、その部分を摘み部として形成しているため、財布のカード収納部に収納したＩＣカード用カバーを、この摘み部を摘んで引き出すことにより簡単にＩＣカードを取り出すことができる。
【００１６】
またさらに、本考案によれば、前記二つ折り形状からなるカバーの二つ折り形状は、ＩＣカードの縦収納あるいは横収納の何れかの形状に形成しているため、前記ＩＣカードを収納する財布等のカード収納部の形状に合わせた利用が可能である。
【考案を実施するための最良の形態】
【００１７】
以下、本考案に係るＩＣカード用カバーの第１の実施形態を図面を参照して説明する。ＩＣカード用カバー１０は、図１に示すように、厚さ１００μｍ〜３００μｍのポリプロピレン等のプラスチックシートの表面に厚さ１０μｍ〜１００μｍからなるアルミニウム等の電磁波遮断用の金属がラミネートされたものを、ＩＣカードを横方向で収納するのに合わせて二つ折り形状に形成したものである。二つ折り形状のうち、一方の側（裏側）１２を他方の側（表側）１４よりも長くして、その部分を摘み部１６として形成し、且つ該摘み部１６を他方側１４に傾斜させている。なお、二つ折りの折れ曲がった部分や、この摘み部１６の傾斜は加熱によって癖が付けられている。
【００１８】
図２は、非接触型ＩＣカード５０を、本考案に係るＩＣカード用カバー１０に収納した状態で横型カード収納部付き財布１００に収納した状態の全体図である。摘み部１６が財布のカード収納部１０２から突出しているため、ＩＣカード５０を取り出すときには、この摘み部１６を摘んでＩＣカード用カバー１０を引き出せば簡単にＩＣカード５０を取り出すことが出来る。また、仕舞うときには、ＩＣカード５０をＩＣカード用カバー１０に挟んで、財布１００のカード収納部１０２に戻すことになる。
【００１９】
非接触ＩＣカード５０を財布に収納した状態で持ち歩いているときに、他人が非接触状態でＩＣカード５０に記録されている個人データを読み出し・取得あるいは改竄等を試みても、ＩＣカード５０は電磁波を遮断するＩＣカード用ケース１０に収納されているので、不可能となる。また、ＩＣカード用カバー１０は、厚さが薄くかつＩＣカード５０とほぼ同じ寸法であるので、財布等のカード収納部がＩＣカード５０の大きさにぴったり合わせて作られている場合にも、ＩＣカードをＩＣカード収納ケース１０に収納した状態で、財布１００のカード収納部１０２に収納することができ、ＩＣカード用カバー１０を使用するための財布を新調する必要がない。
【００２０】
次に本考案に係るＩＣカード用カバーの第２の実施形態を図面を参照して説明する。
ＩＣカード用カバー２０は、図３に示すように、第１の実施形態と同じく、厚さ１００μｍ〜３００μｍのポリプロピレン等のプラスチックシートの表面に厚さ５０μｍ〜１００μｍからなるアルミニウム等の電磁波遮断用の金属がラミネートされたものを、ＩＣカードを縦方向で収納するのに合わせて二つ折り形状に形成したものである。二つ折り形状のうち、一方の側（裏側）２２を他方の側（表側）２４よりも長くして、その部分を摘み部２６として形成し、且つ該摘み部２６を他方側２４に傾斜させている。なお、この場合も、第１の実施形態と同様、二つ折りの折れ曲がった部分や、この摘み部２６の傾斜は加熱によって癖が付けられている。
【００２１】
図４は、非接触型ＩＣカード５０を、本考案に係るＩＣカード用カバー２０に収納した状態で縦型カード収納部２０２付き財布２００に収納した状態の全体図である。摘み部２６が財布のカード収納部から突出しているため、ＩＣカード５０を取り出すときには、この摘み部２６を摘んでＩＣカード用カバー２０を引き出せば簡単にＩＣカード５０を取り出すことが出来る点も第１の実施形態の場合と同様である。
【００２２】
この場合も、ＩＣカード用カバー２０は、厚さが薄くかつＩＣカード５０とほぼ同じ寸法であるので、財布２００のカード収納部２０２がＩＣカードの大きさにぴったり合わせて作られている場合でも、ＩＣカードをＩＣカード収納ケースに収納した状態で、財布のカード収納部に収納することが出来る。
【００２３】
なお、上記第１及び第２の実施形態において、プラスチックシートにポリプロピレン（ＰＰ）を用いたが、これに限らずポリエチレン（ＰＥ）、ポリエステル（ＰＥＴ）、塩化ビニルなどシート状でかつ二つ折りにでき耐久性のあるものなら種々のものが使用可能である。また、金属としてアルミニウムを例としてあげたが、銅やカーボンなど電磁波遮断機能が高いものであれば使用可能である。また、金属はシートにラミネートするようにしたが、これに限らず蒸着、積層等によってもよい。
【産業上の利用可能性】
【００２４】
本考案に係るＩＣカード用カバーは、ＩＣカードとほぼ同じ大きさの二つ折り形状からなっているため、従来から使用していた財布にそのまま用いて収納することができ、また、ＩＣカード用カバーのプラスチックシート部材の表面が電磁波を遮断する金属によってラミネートされているため、ＩＣチップの有するデータに対する外部からの読み出しや改竄等の防止等のセキュリティー向上面で好適に利用することができる。またさらに、ＩＣカード用カバーの二つ折り形状が、ＩＣカードの縦収納あるいは横収納の何れかの形状に形成されているため、非接触ＩＣカードを収納する財布等の形状に対して柔軟な対応が可能である。
【図面の簡単な説明】
【００２５】
【図１】本考案に係るＩＣカード用カバー（横収納用）に非接触型ＩＣカードを収納する態様を示した図である。
【図２】本考案に係るＩＣカード用カバー（横収納用）に収納した非接触型ＩＣカードを横型収納部付き財布に収納した状態を示した図である。
【図３】本考案に係るＩＣカード用カバー（縦収納用）に非接触型ＩＣカードを収納する態様を示した図である。
【図４】本考案に係るＩＣカード用カバー（縦収納用）に収納した非接触型ＩＣカードを横型収納部付き財布に収納した状態を示した図である。
【符号の説明】
【００２６】
１０    ＩＣカード用カバー（横収納用）
１２    一方の側
１４    他方の側
１６    摘み部
２０    ＩＣカード用カバー（縦収納用）
２２    一方の側
２４    他方の側
２６    摘み部
５０    ＩＣカード
１００  ＩＣカード横収納部付き財布
２００  ＩＣカード縦収納部つき財布
【図１】
0003111033.tif 000003
【図２】
0003111033.tif 000004
【図３】
0003111033.tif 000005
【図４】
0003111033.tif 000006